(57)【要約】【課題】無意識のうちに来場者から正しい情報を採取することができる新規な住宅関連アンケートの自動回収並びに分析方法を開発する。【解決手段】居住空間および住宅設備を装備した住宅設備体験施設（１）に来場した来場者（２）が住宅設備（３ａ１）（３ａ２）…に直接触れてみてその使用具合を直接体験できる１乃至複数の体験コーナー（３ａ）（３ｂ）…と、来場者の身体的特徴を採取するフィジカルチェックコーナー（６）と、前記体験に基づいて得た体験データを入力する情報端末（４ａ）（４ｂ）…や前記フィジカルチェックデータを入力する情報端末（６ｂ）とを備え、情報端末（４ａ）（４ｂ）…（６ｂ）から入力された来場者（２）の体験データやフィジカルチェックデータをホストサーバ（７）に収集することを特徴とする。【選択図】　　　　図１
2004133685.tif 000002
【特許請求の範囲】
【請求項１】
居住空間および住宅設備を装備した住宅設備体験施設に来場した来場者が住宅設備に直接触れてみてその使用具合を直接体験できる１乃至複数の体験コーナーと、来場者の身体的特徴を採取するフィジカルチェックコーナーと、前記体験に基づいて得た体験データを入力する情報端末や前記フィジカルチェックデータを入力する情報端末とを備え、情報端末から入力された来場者の体験データやフィジカルチェックデータをホストサーバに収集することを特徴とする住宅に関するアンケートの自動回収分析方法。
【請求項２】
居住空間および住宅設備を装備した住宅設備体験施設に来場した来場者が住宅設備に直接触れてみてその使用具合を直接体験できる１乃至複数の体験コーナーと、来場者の身体的特徴を採取するフィジカルチェックコーナーと、居住空間に求めるイメージを探究するインテリアスタイル体験ラボと、当該体験に基づいて得た体験データを入力する情報端末や前記フィジカルチェックデータを入力する情報端末とを備え、情報端末から入力された来場者の体験データやフィジカルチェックデータをホストサーバに収集することを特徴とする住宅に関するアンケートの自動回収分析方法。
【請求項３】
前記収集された体験データを、当該データを入力した来場者の個人データやフィジカルチェックデータから抽出したデータブロック毎に分類整理することを特徴とする請求項１又は２に記載の住宅に関するアンケートの自動回収分析方法。
【発明の詳細な説明】
【０００１】
【産業上の利用分野】
本発明は、遊び感覚で知らず知らずのうちに来場者の住宅設備やインテリアデザイン嗜好に関する正しい体験データを採取することができる住宅に関するアンケートの自動回収方法に関する。
【０００２】
【従来の技術】
マンション業者や戸建て業者をはじめ住宅設備機器メーカーなど住宅関連業者は、住宅（内装、外装）や設備機器に関する顧客のニーズを絶えず収集し、これを住宅や設備機器に反映させるような努力を行っている。
【０００３】
そのような情報収集方法として、営業担当による顧客との対面での聞き取り調査、座談会などの開催による意見交換などが用いられているが、（ａ）アンケートの集計と分析に時間がかかる、（ｂ）アンケートへの記入作業は機械的であり、アンケートに答える顧客に興味を抱かせない、（ｃ）アンケートへの記入はプライバシーの開示になるため警戒感を持たれる、（ｄ）座談会等への出席は面倒である、（ｅ）アンケートに対する回答の内容がいい加減であり、分析結果に問題があるなどの欠点があった。
【０００４】
【発明が解決しようとする課題】
本発明は上記問題点に鑑みてなされたもので、従来の形式張ったアンケートから顧客が実際の体験によって得られたデータをその場でアンケートに答えるという方法することにより、知らず知らずのうちに正しい情報を採取することができる新規な住宅関連アンケートの自動回収並びに分析方法を開発することを課題とするものである。
【０００５】
【課題を解決するための手段】
「請求項１」は本発明方法に係る住宅に関するアンケートの自動回収分析方法で「居住空間および住宅設備を装備した住宅設備体験施設（１）に来場した来場者（２）が住宅設備（３ａ１）（３ａ２）…に直接触れてみてその使用具合を直接体験できる１乃至複数の体験コーナー（３ａ）（３ｂ）…と、来場者の身体的特徴を採取するフィジカルチェックコーナー（６）と、前記体験に基づいて得た体験データを入力する情報端末（４ａ）（４ｂ）…や前記フィジカルチェックデータを入力する情報端末（６ｂ）とを備え、情報端末（４ａ）（４ｂ）…（６ｂ）から入力された来場者（２）の体験データやフィジカルチェックデータをホストサーバ（７）に収集する」ことを特徴とするものであり、「請求項２」は「請求項１」に「インテリアスタイル体験ラボ（３ｃ）」を付加したもので「居住空間および住宅設備を装備した住宅設備体験施設（１）に来場した来場者（２）が住宅設備（３ａ１）（３ａ２）…に直接触れてみてその使用具合を直接体験できる１乃至複数の体験コーナー（３ａ）（３ｂ）…と、来場者（２）の身体的特徴を採取するフィジカルチェックコーナー（６）と、居住空間に求めるイメージを探究するインテリアスタイル体験ラボ（３ｃ）と、当該体験に基づいて得た体験データを入力する情報端末（４ａ）（４ｂ）…や前記フィジカルチェックデータを入力する情報端末（６ｂ）とを備え、情報端末（４ａ）（４ｂ）…（６ｂ）から入力された来場者（２）の体験データやフィジカルチェックデータをホストサーバ（７）に収集する」ことを特徴とする。
【０００６】
このようにすることで、住宅設備に直接触れ或いはインテリアスタイルを視覚的に体験した来場者（２）の生の体験データをその場で採取することができ、来場者（２）が意識しない内に遊び感覚で知らず知らずのうちに正しい情報を提供して貰うことが出来ることとなる。また、アンケートに答える前に実際の体験をすることができるので、アンケートに答えることに対して興味を湧かせやすいだけでなくプライバシー保持に対する警戒感も薄れさせることができる。
【０００７】
「請求項３」は前記採取された体験データの使用方法で「前記収集された体験データを、当該データを入力した来場者（２）の個人データやフィジカルチェックデータから抽出したデータブロック毎に分類整理する」ことを特徴とするもので、これによりリアルタイムで入手できた来場者（２）の生の体験データをデータブロック毎に加工してマーケティングツールとして使用することが出来、素早い次世代商品の開発を行うことができる。
【０００８】
【発明の実施の形態】
以下本発明を図示実施例に従って詳述する。図１は本発明に関する居住空間および住宅設備体験施設（１）で、来場者（２）は内部に設置されている様々な設備（３ａ１）…（３ｂ１）…（３ｃ１）…を実際に触れてみてそれぞれの機能を体験することができる施設である。
【０００９】
前記施設（１）は、受付コーナー（５）、フィジカルチェックコーナー（６）、モジュールスペース（３）（キッチンコーナー（３ａ）、トイレコーナーや浴室コーナー（３ｂ））、インテリアデザインラボ（３ｃ）など種々のコーナーが設けられており、各コーナー（３ａ）（３ｂ）…には専用の情報端末（４ａ）（４ｂ）…（６ｂ）が設置されており、データの蓄積と分析を行うホストサーバ（７）に接続されている。ホストサーバ（７）は当該施設（１）あるいは本社に設置されている。
【００１０】
受付コーナー（５）は、来場者（２）が自己の基礎データ（来場者（２）の氏名、性別、年齢、生年月日、住所その他）を入力すると当該データを個別管理できるようにするためにＩＤ番号が付されたカード（５ｂ）が発行される。ＩＤ番号は来場者（２）毎に個別発行しても良いし、家族のようなグループではグループ毎に発行しても良い。ここでは、来場者（２）毎の個別発行をその代表例として説明する。
【００１１】
ＩＤ番号が付されたこのカード（５ｂ）には前記来場者（２）の氏名、性別、年齢、生年月日、住所その他必要な基礎データが受付コーナー（５）に設置されている受付用端末（５ａ）を介して入力されるようになっている。この基礎データは受付用端末（５ａ）からホストサーバ（７）に送られ、以後、このＩＤ番号を用いることにより、この施設（１）において来場者（２）が入力したすべてのデータはホストサーバ（７）に集約されて個別管理されることになる。
【００１２】
フィジカルチェックコーナー（６）は、設備機器の設計に必要な来場者（２）の身体的特徴を計測すると共にそのフィジカルデータをＩＤ番号に従って個別に採取するセクションであり、フィジカルチェックが終了すると該来場者（２）のフィジカルデータが記入された用紙（６ａ）が併設のプリンタ（６ａ）から出力され、その場で来場者（２）に個別に与えられるようになっている。
【００１３】
フィジカルチェックコーナー（６）でのデータの録取装置（６イ）の一例を説明すると、これは、背景が無地のスクリーン（６ｄ）と、スクリーン（６ｄ）の前方に設置されたデジタルカメラ（６ｃ）と、デジタルカメラ（６ｃ）がとらえた画像をデジタルデータとして処理する端末（６ｂ）とで構成されている。入場者（２）がスクリーン（６ｄ）の前に立ち、両手を横に広げた姿勢や腕をあげた姿勢、スクリーン（６ｄ）に対して横向きで椅子に腰をかけ、腕を水平に伸ばした姿勢など所定の姿勢を取り、これをデジタルカメラ（６ｃ）で撮影し、それぞれの姿勢をデジタルデータとして端末（６ｂ）に送り、該入場者（２）の身長、手を広げたときの幅、座高、体の前に伸ばしたときの長さ、ひじの高さおよび手を上げた時の高さなど住宅機器設計に必要なデータを算出させる。
【００１４】
これらのデータは逐次ホストサーバ（７）に送り込まれてＩＤ番号に従って個別に蓄積されると同時に所定の用紙（６ｅ）にプリントアウトされ前述のように来場者（２）に個別に与えられる。入場者（２）は単に所定のポーズをとるだけで自らのフィジカルデータが瞬時にプリントアウトされることにより、この施設（１）に興味を抱くようになる。
【００１５】
モジュールスペース（３）には各コーナー（３ａ）（３ｂ）…がテーマ毎に分けられており、キッチンコーナー（３ａ）には流し台（３ａ１）、吊り戸棚（３ａ２）、コンロ台（３ａ４）などで構成されるシステムキッチンと冷蔵庫やカップボード（３ａ５）（図示せず）などが配置されている。吊り戸棚（３ａ２）は流し台（３ａ１）の上に設置されており、コンロ台（３ａ４）は流し台（３ａ１）の横に設置されている。冷蔵庫やカップボード（３ａ５）はワークスペース（Ｈ４）を開けて流し台（３ａ１）等の反対側に設置されている。前記、システムキッチンの場合には、床に対して流し台（３ａ１）や吊り戸棚（３ａ２）或いはコンロ台（３ａ４）などが上下に個別に移動して床に対する高さ（Ｈ１）（Ｈ２）（Ｈ３）がそれぞれ調節できるようになっており、それぞれの高さ（Ｈ１）（Ｈ２）（Ｈ３）を実感できると共に当該者（２）にとって最適高さ（Ｈ１）（Ｈ２）（Ｈ３）を探すことができるようになっている。
【００１６】
また、冷蔵庫やカップボード（３ａ５）も流し台（３ａ１）に対して近接・離間自在に設置されており、ワークスペース（Ｈ４）に立った人（２）がワークスペース（Ｈ４）の広さを実感できるようになっていると共に最適の広さを選択出来るようになっている。また、流し台（３ａ１）のシンク（３ａ３）やコンロ（３ａ６）の位置も左右移動可能（更にはワークスペース（Ｈ４）の流し台（３ａ１）やコンロ台（３ａ４）の前面に立っている人（２）に対して近接・離間且つ左右移動可能にする事も可能）になっており、該操作をしている人（２）にとってシンク（３ａ３）やコンロ（３ａ６）の位置の最適位置を探すことができるようになっている。また、図示していないがダブルシンクの場合、一方のシンクに対する他方のシンクの位置などを調節することも可能である。
【００１７】
前述の場合は、流し台（３ａ１）などの住宅設備機器が個別に高さ調整できるようになっているが、逆に住宅設備機器を固定し、ワークスペース（Ｈ４）の床が上下してカウンタ上面の高さ（Ｈ２）やコンロ面の床面からの高さ（Ｈ３）を自由に調整できるようにしてもよい。
【００１８】
浴室コーナー（３ｂ）では浴槽（３ｂ１）（必要に応じて設置位置の変更が可能なシャワーや鏡或いは棚など）が設置されており、床面に対して浴槽（３ｂ１）が昇降し、床面からの浴槽（３ｂ１）の跨ぎ込み高さ（Ｈ５）を自由に変えることができるようにている。なお、この場合も前述同様浴槽（３ｂ１）に対して床面を昇降させてもよい。これにより、実際に浴槽（３ｂ１）の中に入ることにより、床面からの浴槽（３ｂ１）の高さを実感すると共に操作者（２）の好みの高さを知ることができるようになっている。なお、シャワーの設置場所の移動については例えばシャワーの取っ手を保持するホルダーに磁石を内蔵しておき、壁面内に設けられた鉄板に着磁させるようにすることで自由な位置の変更が可能となる。
【００１９】
また、コンセプトの異なる複数の浴室コーナーを設けておき、適宜、好みのもの選択させるようにすると共に情報端末（４ｂ）に各種の質問、（例えば、
・お風呂は短時間で済ませたい。
・体を清潔に保てるのであればシャワーだけで十分だ。
・浴室が広いよりは他の部屋が広い方がよい。
・浴室は入浴だけではなく、もっと合理的に利用したい。）などを用意しておき、その回答によって回答者（２）に適切な入浴設備、（例えば、
・多機能シャワー［シャワーだけでも疲れがとれるようにした多機能シャワー］・浴室乾燥機つき［入浴以外にも洗濯物の乾燥にも利用します。］
・浴室はコンパクトタイプ）にというような適切な入浴施設の選定アドバイスを用意したり、回答者（２）に入浴時のワンポイントアドバイス（例えば、忙しく余り入浴に時間をかけたくないあなた。短時間で効果的な入浴方法として、入浴剤を入れることをおすすめします。入浴剤は長時間入浴したのと同様の効果を得ることができます。温泉の素など市販のものや柚、ヨモギなど自然のものなどいろんなもの楽しんでみてはいかがですか。）などを用意しておく。
【００２０】
洗面化粧コーナー（３ｃ）では洗面台（３ｃ１）が設置されており、床面に洗面台（３ｃ１）が昇降し、床面からの洗面ボール（３ｃ２）の高さ（Ｈ６）が自由に変化させることができるようになっている。この場合も前述同様洗面台（３ｃ１）に対して床面を昇降させてもよい。これにより、実際に洗面ボール（３ｃ２）を使用することで床面からの洗面ボール（３ｃ２）の高さを実感すると共に操作者（２）の好みの高さ（Ｈ６）を知ることができるようになっている。
【００２１】
トイレコーナー（図示せず）では便器が設置されており、周囲の壁面が床面に敷設されたレールに沿って広狭可能に移動するようになっており、トイレの室内空間を広狭自在に変化させることができるようになっている。また、トイレの内壁面に収納棚や収納ボックスが設置されている場合には、これらの高さを自由に変えることができるようになっている。
【００２２】
住宅設備機器や浴槽（３ｂ１）、洗面台（３ｃ１）等の昇降機構は別段特定されるものではないが、油圧（又は、空圧）シリンダで直接住宅設備機器を昇降させたり、あるいは交差点を枢着し、Ｘに組んだ１対のアームにて住宅設備機器を下から支持し、油圧（又は、空圧）シリンダやモータ駆動のねじ機構で住宅設備機器を昇降させる。
【００２３】
吊り戸棚（３ａ２）の昇降は例えば天井から吊るした定張力ばね（巻取装置から引きだされた断面弧状の帯状バネで、引き出されたどの位置でも一定の張力で帯状バネの端部に取り付けられた吊り戸棚（３ａ２）を吊す働きを有するものである。）で行われ、壁面に沿って上下方向に設置されたレールに沿って昇降する。
【００２４】
また、インテリアデザインラボ（３ｃ）ではインテリアに関する質問が情報端末（４ｃ）に用意されており、来場者（２）が当該情報端末（４ｃ）を操作して質問に答えることになる。
【００２５】
ここでは色や柄あるいはインテリアスタイルに関する参考資料（例えば、色や柄では各種壁紙・床材・天井材やカーテン地及びこれらのコンセプト毎の組合せ、インテリアスタイルではいろいろなスタイルをイメージさせる生花など）を用意しておき、情報端末（４ｃ）にこれらに対する質問を用意しておき、回答者（２）は自分の好みに合わせて回答することになる。
【００２６】
図５は回答にあわせて作成された出力データ用紙であり、回答者（２）のインテリアデザインに対する考え方がグラフに表されて出力されるようになっている。
【００２７】
次ぎに、本施設（１）の使用方法について説明する。来場者（２）が本施設（１）の入口に入るとまず受付コーナー（５）の情報端末（５ａ）を使用して前記基礎データを入力することになる。来場者（２）が情報端末（５ａ）を立ち上げると住所、名前、年齢、性別などの基礎データ記入一覧表（図２）が画面に現れ、この所定欄にキーボード記入する。記入が終わると来場者（２）に対してＩＤ番号が付与されると共に併設されているプリンタから前記基礎データとＩＤ番号が打ち込まれたカード（５ｂ）が出力され、これと同時に前記基礎データとＩＤ番号がホストサーバ（７）に送られ、ＩＤ番号と共に記憶される。
【００２８】
次に、基礎データを登録した来場者（２）はフィジカルチェックコーナー（６）に移動し、ここでフィジカルチェックを受ける。即ち、来場者（２）はスクリーン（６ｄ）前に立ち、スクリーン（６ｄ）の前方に設置されたデジタルカメラ（６ｃ）に向かって両手を横に広げた姿勢や腕をあげた姿勢、スクリーン（６ｄ）に対して横向きで椅子に腰をかけ、腕を水平に伸ばした姿勢など所定の姿勢を取ると、当該各姿勢から捉えた画像をデジタルデータとして端末（６ｂ）に送り、この端末（６ｂ）で該入場者（２）の身長、手を広げたときの幅、座高、体の前に伸ばしたときの長さ、ひじの高さおよび手を上げた時の高さなど住宅機器設計に必要なデータを算出させる。これらのデータは前述のように逐次ホストサーバ（７）に送り込まれてＩＤ番号に従って個別に蓄積されると同時に所定の用紙（６ｅ）にプリントアウトされ来場者（２）に個別に与えられる。（前記データは最終一括データとしてインテリアデザインラボ（３ｃ）の端末（４ｂ）と兼用している［或いは別個に用意されている］最終端末から出力するようにしてもよい。）
【００２９】
フィジカルチェックが終了すると来場者（２）は各モジュールスペース（３）に移動する。キッチンコーナー（３ａ）や浴室コーナー（３ｂ）及びトイレコーナーなど、各コーナーに設置されている住宅機器（３ａ１）（３ａ２）…を体験する。即ち、キッチンコーナー（３ａ）では来場者（２）が流し台（３ａ１）、コンロ台（３ａ４）や吊り戸棚（３ａ２）を昇降させて収納棚や収納ボックスに対する手の届き易さや収納されている調理器具の出し入れのしやすさ等を体験し、当該来場者（２）が最も好ましい高さ（Ｈ１）（Ｈ２）（Ｈ３）を選択する。
【００３０】
また、来場者（２）が冷蔵庫やカップボード（３ａ５）を流し台（３ａ１）に対して近接・離間させてみて、ワークスペース（Ｈ４）に立った来場者（２）にとって好ましいワークスペース（Ｈ４）の広さを選択する。また、流し台（３ａ１）のシンク（３ａ３）やコンロ（３ａ６）の位置を左右（これに加えて前後させてもよい）に移動させ、流し台（３ａ１）やコンロ台（３ａ４）の前面に立っている当該来場者（２）にとって最適位置と壁からの最適間隔（Ｘ，Ｚ）や両者間の最適間隔（Ｙ）を探す。
【００３１】
キッチンコーナー（３ａ）での一通りの体験が終了すると、キッチンコーナー（３ａ）に併設されている情報端末（４ａ）を立ち上げ、入力者（２）のＩＤ番号を記入した後、ＣＲＴに表示された質問内容（例えば、シンクの高さや調理台の使い勝手、パネルの色やデザイン）に順次回答していく。入力が終了すると当該キッチンコーナー（３ａ）の体験に基づく体験データがホストサーバ（７）を送りこまれ、来場者（２）毎に個別にデータ管理される。
【００３２】
浴室コーナー（３ｂ）ではキッチンコーナー（３ａ）と同様来場者（２）が浴槽（３ｂ１）を昇降させ、浴槽（３ｂ１）に出入りして浴槽（３ｂ１）の床面からの跨ぎ込み高さ（Ｈ５）を実体験してもらう。また、必要に応じて設置されているシャワーの設置位置等も移動させ、最も使いやすい位置を選定・体験してもらう。そして前述同様、浴室コーナー（３ｂ）に併設されている情報端末（４ｂ）を立ち上げ、来場者（２）がＩＤ番号を記入した後、ＣＲＴに表示された質問内容（例えば、浴槽の高さやシャワーの使い勝手や各設備の配置や色）に順次回答していく。入力が終了すると当該浴室コーナー（３ｂ）の体験に基づく体験データがホストサーバ（７）を送りこまれ、来場者（２）毎に個別にデータ管理される。
【００３３】
トイレコーナー（図示せず）では便座に座り、周囲の壁面を手動又はモータ駆動で拡縮移動させ、トイレ空間の広さを体験することになる。そして前述同様、トイレコーナーに併設されている情報端末（図示せず）を立ち上げ、入力者（２）がＩＤ番号を記入した後、ＣＲＴに表示された質問内容（例えば、トイレ空間の最適広さや壁紙の色など）に回答していく。入力が終了すると当該トイレコーナーの体験に基づく体験データがホストサーバ（７）に送りこまれ、来場者（２）毎に個別にデータ管理される。
【００３４】
化粧洗面コーナー（３ｃ）では洗面台（３ｃ１）の前に立ち、来場者（２）が洗面台（３ｃ１）を昇降させて床面から洗面ボール（３ｃ２）の最適高さ（Ｈ６）を選択する。そして前述同様、化粧洗面コーナー（３ｃ）に併設されている情報端末（図示せず）を立ち上げ、入力者（２）がＩＤ番号を記入した後、ＣＲＴに表示された質問内容（例えば、洗面台（３ｃ１）の最適高さ（Ｈ６）、色など）に回答していく。入力が終了すると当該化粧洗面コーナー（３ｃ）の体験に基づく体験データがホストサーバ（７）に送りこまれ、来場者（２）毎に個別にデータ管理されると同時に所定の用紙に記入されて当該来場者（２）のデータとして当該来場者（２）に与えられる。
【００３５】
インテリアデザインラボ（３ｃ）では、このコーナーに設置されているインテリアスタイルをイメージした数種類の生花や、多種多様の柄や色に彩られた壁紙・床材・天井材、カーテン地を見て自分に最も合うものを選択する。壁紙やカーテン地などの内装材については、あらかじめ傾向毎に分類しておき、その中から選ぶようにしてもよい。インテリアデザインラボ（３ｃ）での体験が終了すると、入場者（２）は情報端末（４ｃ）を立ち上げ、まず入力者（２）のＩＤ番号を記入した後、ＣＲＴに表示された質問内容に順次答えていくことで入力者（２）に合ったインテリアスタイルや性格判断などのアドバイスが表示される。これにより、その入力者（２）の好みのインテリアスタイルやインテリアで気を使う箇所のデータが自動的にホストサーバ（７）に入力されることになる。
【００３６】
全コーナー（勿論、一部でも可）での体験が終了すると、最終端末（４ｃ）から自分が各コーナーで答えた内容の記入された用紙がプリントアウトされ、当該来場者（２）にお土産として渡されると同時に当該来場者（２）の必要データがホストサーバにエクセルデータとして来場者（２）ごとに個別に記憶されることになる。
【００３７】
企業側では、来場者に関する基礎データを年齢別、性別、収入別、地域別、その他必要に応じて分類してデータブロック化し、当該データブロックに応じて前記採取データを分析する事で来場者の一般的な住宅設備や住宅（内装）に関する嗜好・傾向などを知ることができ、それ以後の住宅設備の開発や内装などに生かすことができる。
【００３８】
なお、前述の実施例では各コーナーに情報端末を併設した例を示したが、勿論、これに限られず、各コーナーにおいて体験が終了した後、一カ所に設置された情報端末に各コーナーで体験したデータを入力するようにしてもよい。また、情報端末は居住空間および住宅設備体験施設（１）以外の場所に設置していてもよい。
【００３９】
【発明の効果】
本発明は、居住空間および住宅設備体験施設に来場した来場者が住宅設備に直接触れてみてその使用具合を直接体験できる１乃至複数の体験コーナー、来場者の身体的特徴を採取するフィジカルチェックコーナー或いは居住空間に求めるイメージを探究するインテリアスタイル体験ラボ（３ｃ）並びに当該体験に基づいて体験データを入力する情報端末を備え、情報端末から入力された来場者の体験データをホストサーバに収集するようになっているので、生の体験データをその場で採取することができ、知らず知らずのうちに正しい情報を採取することができることとなる。また、アンケートに答える前に実際の体験をすることができるので、アンケートに答えることに対して興味を湧かせやすいだけでなくプライバシー保持に対する警戒感も薄れさせることができる。また、このデータを加工することで精度の高いマーケティング情報を入手する事が出来る。
【図面の簡単な説明】
【図１】本発明に係る居住空間および住宅設備体験施設の概略断面図
【図２】本発明に使用されるデータ表の正面図
【図３】本発明のフィジカルチェックコーナーの概略図
【図４】本発明に係る各コーナーの斜視図
【図５】本発明に係る各コーナーで得たデータを出力した表の正面図
【図６】本発明に係るインテリアデザインラボで出力されたデータ表の正面図
【符号の説明】
（１）居住空間および住宅設備体験施設
（２）来場者
（３）体験コーナー（モジュールスペース）
（４）情報端末
（５）受付
（６）フィジカルチェックコーナー
（７）ホストサーバ
【図１】
2004133685.tif 000003
【図２】
2004133685.tif 000004
【図３】
2004133685.tif 000005
【図４】
2004133685.tif 000006
【図５】
2004133685.tif 000007
【図６】
2004133685.tif 000008